(57)【要約】【課題】輸液ポンプ等の医療機器の設定を行い易い医療機器及び医療機器の制御方法を提供すること。【解決手段】情報を表示する表示部２０と、表示部に表示される情報である表示情報を変更することができる表示情報変更部１１と、を有し、表示情報は、表示情報変更部の動きに基づいて変更表示される構成となっていると共に、表示情報の変更速度が、当該表示情報の種類によって相違する構成となっている医療機器１０。【選択図】図２
2013153946.tif 000002
【特許請求の範囲】
【請求項１】
情報を表示する表示部と、
前記表示部に表示される情報である表示情報を変更することができる表示情報変更部と、を有し、
前記表示情報は、前記表示情報変更部の動きに基づいて変更表示される構成となっていると共に、前記表示情報の変更速度が、当該表示情報の種類によって相違する構成となっていることを特徴とする医療機器。
【請求項２】
前記表示情報は、複数の異なる内容の個別表示情報を有しており、これら複数の前記個別表示情報の集合体で表示情報群を形成すると共に、前記表示情報は、前記個別表示情報と関連付けられている複数の内容の詳細個別表示情報を含み、
前記表示情報群の前記個別表示情報及び前記詳細個別表示情報は、前記表示情報変更部の動きに基づいて変更表示される構成となっており、
前記表示情報変更部の動きに基づいて変更表示される前記個別表示情報の変更速度と前記詳細個別表示情報の変更速度が相違する構成となっていることを特徴とする請求項１に記載の医療機器。
【請求項３】
前記表示情報変更部の動きに基づいて変更表示される前記表示情報の変更速度が所定速度以上のときに、前記表示情報の変更速度が、当該表示情報の種類によって、前記所定速度超又は前記所定速度未満に変更されることを特徴とする請求項１又は請求項２に記載の医療機器。
【請求項４】
前記表示部の画面上に表示される複数の前記個別表示情報の個別表示情報画面から特定の前記個別表示情報画面を選択し、選択済み設定画面へ遷移させる選択画面遷移部と、
前記選択済み設定画面で選択された前記個別表示情報画面を前記詳細個別表示情報の変更可能設定画面へ遷移させる変更画面遷移部と、を有し、
前記個別表示情報画面、前記選択済み設定画面及び前記変更可能設定画面における、少なくとも背景色が相違する構成となっていることを特徴とする請求項２乃至請求項３のいずれか１項に記載の医療機器。
【請求項５】
情報を表示する表示部と、
前記表示部に表示される情報である表示情報を変更することができる表示情報変更部と、を有する医療機器の制御方法であって、
前記表示情報は、前記表示情報変更部の動きに基づいて変更表示される構成となっていると共に、前記表示情報の変更速度が、当該表示情報の種類によって相違する構成となっていることを特徴とする医療機器の制御方法。
【発明の詳細な説明】
【技術分野】
【０００１】
本発明は、例えば、病院等で使用する輸液ポンプ等の医療機器及び医療機器の制御方法に関するものである。
【背景技術】
【０００２】
従来より、病院等で薬液を患者等に投与する場合で、その投与量等を精度良く制御する必要があるときは、輸液ポンプ等を用いている（例えば、特許文献１）。
このような輸液ポンプ等を用いて投与量を制御する薬液は、患者の状態等に応じて、頻繁にその投与量を変更等する場合がある。また、病院等で、医療従事者は、同時に複数の患者の輸液ポンプ等の薬液の投与量等の設定を行う場合がある。
このような場合、操作者は、ダイヤル等の入力装置を操作して、輸液ポンプ等の変更すべき項目（流量表示等）を表示装置に順に表示させ、設定すべき項目が表示させる構成となっている。
また、操作者は、設定すべき項目を選択した後は、同様にダイヤル等を操作して、数字を、その数の順番に沿って表示装置に表示させ、設定すべき数字となるまで、ダイヤル操作をし続ける構成となっている。
【先行技術文献】
【特許文献】
【０００３】
【特許文献１】特開２０１１−８７６７８号公報
【発明の概要】
【発明が解決しようとする課題】
【０００４】
このような輸液ポンプ等の医療機器を操作する医療従事者等の操作者は、上述の設定すべき項目を選択する際は、比較的ゆっくりダイヤル等を操作するが、数値の場合は、ダイヤル等を速めに回す傾向があり、特に、複数の患者の輸液ポンプ等の医療機器を設定しなければならない場合で、数値等の設定を迅速に終わらせるには、ダイヤル等を速めに操作しなければならず、操作し難いという問題があった。
【０００５】
そこで、本発明は、輸液ポンプ等の医療機器の設定を行い易い医療機器及び医療機器の制御方法を提供することを目的とする。
【課題を解決するための手段】
【０００６】
上記目的は、本発明にあっては、情報を表示する表示部と、前記表示部に表示される情報である表示情報を変更することができる表示情報変更部と、を有し、前記表示情報は、前記表示情報変更部の動きに基づいて変更表示される構成となっていると共に、前記表示情報の変更速度が、当該表示情報の種類によって相違する構成となっていることを特徴とする医療機器により達成される。
【０００７】
前記構成によれば、表示情報は、表示情報変更部の動きに基づいて変更表示される構成となっていると共に、表示情報の変更速度が、当該表示情報の種類によって相違する構成となっている。
このため、表示情報の種類が、例えば、桁数の多い数値変更画面の場合は、その変更に表示情報変更部の操作を時間的に長く行う必要がある一方、医療機器の設定情報の項目選択画面の場合は、その項目の切り替えに表示情報変更部の操作を時間的に長く行う必要がない。
【０００８】
そこで、かかる場合は、数値変更画面の場合は、項目選択画面の場合に比べ、表示情報変更部による表示情報の変更速度を速く設定し、その数値変更等を迅速に実行できる構成としている。
一方、項目選択画面では、表示情報変更部による表示情報の変更速度を通常通りとして、操作者にとって変更速度が速すぎず、操作し易い構成となっている。
したがって、本発明では、操作者が医療機器の設定を行い易い構成となっている。
【０００９】
好ましくは、前記表示情報は、複数の異なる内容の個別表示情報を有しており、これら複数の前記個別表示情報の集合体で表示情報群を形成すると共に、前記表示情報は、前記個別表示情報と関連付けられている複数の内容の詳細個別表示情報を含み、前記表示情報群の前記個別表示情報及び前記詳細個別表示情報は、前記表示情報変更部の動きに基づいて変更表示される構成となっており、前記表示情報変更部の動きに基づいて変更表示される前記個別表示情報の変更速度と前記詳細個別表示情報の変更速度が相違する構成となっていることを特徴とする。
【００１０】
前記構成によれば、表示情報群は、個別表示情報を有し、この個別表示情報は、詳細個別情報と関連付けられている。また、表示情報変更部の動きに基づいて変更表示される個別表示情報の変更速度と詳細個別表示情報の変更速度が相違する構成となっている。
したがって、例えば、詳細個別表示情報が、桁数の多い数値変更画面を有し、その変更に時間を要するような場合で、個別表示情報が、例えば、医療機器の設定情報の項目選択画面を有し、その画面の選択に時間を要しない場合は、詳細個別表示情報の変更時間を個別表示情報の変更時間より長くすることで、操作者の迅速な操作を可能としている。
【００１１】
好ましくは、前記表示情報変更部の動きに基づいて変更表示される前記表示情報の変更速度が所定速度以上のときに、前記表示情報の変更速度が、当該表示情報の種類によって、前記所定速度超又は前記所定速度未満に変更されることを特徴とする。
【００１２】
前記構成によれば、表示情報変更部の動きに基づいて変更表示される表示情報の変更速度が所定速度以上のとき、すなわち、操作者による表示情報変更部の操作である表示情報変更部の動きが所定速度以上のとき、表示情報の種類によって、その速度を調整する構成となっている。
例えば、表示情報の種類が、医療機器の設定情報の項目選択画面で、その画面の選択に迅速な画面の切り替えを要しない場合で、表示情報変更部の動きに基づいて変更表示される表示情報の変更速度が所定速度以上のときは、その変更速度を所定速度未満に変更する。
これによって、操作者は、自己の表示情報変更部の操作が速すぎ、これにより、表示画面の変更も速すぎて操作し難いという事態を回避することができる。
【００１３】
一方、例えば、表示種類の情報が、桁数の多い数値変更画面の場合で、その変更に表示情報変更部の操作を時間的に長く行う必要があり、その画面の選択に迅速な画面の切り替えを要する場合で、表示情報変更部の動きに基づいて変更表示される表示情報の変更速度が所定速度以上のときは、その変更速度を所定速度超に変更する。
これにより、操作に時間のかかる桁数の多い数値変更等の変更を迅速且つ効率的に行うことができる。
このように、前記構成では、表示情報変更部の動きに基づいて変更表示される表示情報の変更速度が所定速度以上のときに、表示情報変更部により変更する対象である表示情報によって、その変更速度を変更させることで、操作者にとって操作し易い医療機器となっている。
【００１４】
好ましくは、前記表示部の画面上に表示される複数の前記個別表示情報の個別表示情報画面から特定の前記個別表示情報画面を選択し、選択済み設定画面へ遷移させる選択画面遷移部と、前記選択済み設定画面で選択された前記個別表示情報画面を前記詳細個別表示情報の変更可能設定画面へ遷移させる変更画面遷移部と、を有し、
前記個別表示情報画面、前記選択済み設定画面及び前記変更可能設定画面における、少なくとも背景色が相違する構成となっていることを特徴とする。
【００１５】
前記構成によれば、個別表示情報画面、選択済み設定画面及び変更可能設定画面における、少なくとも背景色が相違する構成となっているので、操作者は、表示部を視認するだけで、現在の画面が、個別表示情報画面、選択済み設定画面又は変更可能設定画面のいずれかであるかを容易に判断することができる。
【００１６】
上記目的は、本発明にあっては、情報を表示する表示部と、前記表示部に表示される情報である表示情報を変更することができる表示情報変更部と、を有する医療機器の制御方法であって、前記表示情報は、前記表示情報変更部の動きに基づいて変更表示される構成となっていると共に、前記表示情報の変更速度が、当該表示情報の種類によって相違する構成となっていることを特徴とする医療機器の制御方法により達成される。
【発明の効果】
【００１７】
以上説明したように、本発明によれば、輸液ポンプ等の医療機器の設定を行い易い医療機器及び医療機器の制御方法を提供することができる。
【図面の簡単な説明】
【００１８】
【図１】医療機器である例えば、輸液ポンプの外観を示す概略図である。
【図２】図１に示す輸液ポンプの主な構成を示す概略ブロック図である。
【図３】各種処理部（プログラム）格納部の構成を示す概略ブロック図である。
【図４】本実施の形態に係る輸液ポンプの他の動作例を示す概略フローチャートである。
【図５】本実施の形態に係る輸液ポンプの他の動作例を示す他の概略フローチャートである。
【図６】本実施の形態に係る輸液ポンプの他の動作例を示す他の概略フローチャートである。
【図７】「輸液ポンプディスプレイ」の背景表示が「水色」に変わった状態を示す概略説明図である。
【図８】「輸液ポンプディスプレイ」の背景表示が「濃い水色」に変わった状態を示す概略説明図である。
【図９】「輸液ポンプディスプレイ」が「変更可能画面」に遷移し、変更可能部分に下線が付された状態を示す概略説明図である。
【発明を実施するための形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
図１は、医療機器である例えば、輸液ポンプ１０の外観を示す概略図である。輸液ポンプ１０は、その内部に薬液を送液するチューブ等を配置することができる構成となっており、そのチューブに対し、しごく等の動作をすることで、チューブ内で送液される薬液の流量等を制御する構成となっている。
また、図１に示すように、輸液ポンプ１０は、表示部である例えば、カラー液晶からなる輸液ポンプディスプレイ２０を有し、薬液の流量等の各種の情報を表示することができる構成ともなっている。
【００２１】
この輸液ポンプディスプレイ２０に表示される情報は、個別表示情報である例えば、薬液を患者に投与する薬液量を制御する「流量表示情報」、患者に投与する薬液の予定量や予定時間を制御する「予定量・予定時間表示情報」、そして、患者に投与する薬液量の積算量を制御する「積算量表示情報」等である。これらの情報は、薬液を患者に投与する際に、極めて重要な情報であり、間違いが許されない情報でもある。また、これら「流量表示情報」「予定量・予定時間表示情報」「積算量表示情報」等の集合体が表示情報群（表示情報）の一例となっている。
【００２２】
また、図１に示すように、輸液ポンプ１０には、矢印Ｒ１方向に沿って、正逆双方向に回転（回動）する表示情報変更部である例えば、ジョグダイヤルからなる表示変更ダイヤル１１が備わっている。
すなわち、この表示変更ダイヤル１１を回転することで、例えば、輸液ポンプディスプレイ２０に、「流量表示情報」「予定量・予定時間表示情報」「積算量表示情報」のいずれかを任意に表示し、選択し、選択済み画面（「選択済み設定画面」の一例）に遷移させることができる構成となっている。
【００２３】
また、輸液ポンプ１０は、図１に示すように、ＯＫボタン１２を有し、上述の表示変更ダイヤル１１によって選択された「流量表示情報」「予定量・予定時間表示情報」「積算量表示情報」等のいずれかの選択済み画面で、このＯＫボタン１２を押下させると、当該選択済み表示画面についてのデータ等を変更する詳細個別標示情報の変更可能設定画面である例えば、変更可能画面に遷移可能な構成となっている。
このように、変更可能画面に表示される情報が「詳細個別表示情報」の一例となっている。
なお、この変更可能画面では、表示変更ダイヤル１１を回動させることで、詳細個別表示情報である例えば、数字等を変更することが可能な構成ともなっている。
さらに、輸液ポンプ１０は、電源スイッチ１８も備えている。
なお、これらの構成については、後で詳細に説明する。
【００２４】
また、図１に示すように、輸液ポンプ１０には、その他の入力装置１３等も備わっており、その他の情報の入力等を行うことができる構成となっている。
また、図１に示す輸液ポンプ１０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２５】
図２は、図１に示す輸液ポンプ１０の主な構成を示す概略ブロック図である。
図２に示すように、輸液ポンプ１０は、輸液ポンプ１０全体の動作の制御・判断を司る輸液ポンプ制御部１４を有している。この輸液ポンプ制御部１４は、輸液ポンプ１０の基本的な動作等を担う「輸液ポンプ本体部１５」を制御する他、上述の「輸液ポンプディスプレイ２０」「表示変更ダイヤル１１」「ＯＫキー１２」、「その他の入力装置１３」及び「電源スイッチ１８」を制御している。また、図２に示す「計時装置１７」や、操作者が「表示変更ダイヤル１１」を操作したときのダイヤルの回動速度を検出する「ダイヤル回動速度検出装置１９」も制御する構成となっている。
また、輸液ポンプ制御部１４は、図２に示す輸液ポンプ１０に関する「各種処理部（プログラム）格納部３０」や各種データ記憶部等も制御する構成となっているが、これらの具体的な内容は後述する。
なお、図３は、各種処理部（プログラム）格納部３０の構成を示す概略ブロック図である。
【００２６】
図４及び図６は、本実施の形態に係る輸液ポンプ１０の動作例を示す概略フローチャートである。以下、図４及び図６の概略フローチャートに従い、その動作等を説明しつつ図１乃至図３等の構成についても併せて説明する。
【００２７】
先ず、図４のＳＴ１で、図１及び図２の「電源スイッチ１８」をＯＮ（入）状態にする。
次いで、ＳＴ２へ進む。ＳＴ２では、図１の輸液ポンプ１０の表示変更ダイヤル１１を医療従事者等の操作者が、図１の矢印Ｒ方向に回動させたか否かを判断する。
具体的には、図２の「ダイヤル回動速度検出装置１９」が検出する。
【００２８】
ＳＴ２で、表示変更ダイヤル１１が、回動動作を開始したと判断した場合は、ＳＴ３へ進む。ＳＴ３では、図２の「ダイヤル回動速度検出装置１９」で、図１等の表示変更ダイヤル１１のダイヤル回動速度データを取得し、図２の「ダイヤル回動速度データ記憶部２１」に記憶する。
具体的には、表示変更ダイヤル１１が、図１の矢印Ｒ方向に、所定の回動量分移動すると、「１パルス」の信号を出力するようになっている。そして、このパルスが、所定時間内に出力された回数で、その回動速度を検出する構成となっている。
【００２９】
次いで、ＳＴ４へ進む。ＳＴ４では、図２の「ダイヤル回動速度データ記憶部２１」に記憶された「ダイヤル回動速度データ」が「通常速度」であるか否かを判断する。
具体的には、図３の「ダイヤル回動速度判断処理部（プログラム）３１」が動作し、「ダイヤル回動速度データ」と図２の「ダイヤル回動基準速度データ記憶部２２」の「通常速度データ」とを比較して判断する。
例えば、本実施の形態では、「通常速度データ」として、図２に示すように、所定値（例えば、「５０ｍｓ（ミリ秒）間のダイヤル回動によるパルス数が２以下」）というデータが予め記憶されている。
したがって、ＳＴ４では「ダイヤル回動速度データ」が所定値以下（例えば、「５０ｍｓ（ミリ秒）間のダイヤル回動によるパルス数が２以下」）か否かが判断される。
【００３０】
ＳＴ４で、「ダイヤル回動速度データ」が「５０ｍｓ（ミリ秒）間のダイヤル回動によるパルス数が２以下」である、すなわち「通常速度」であると判断された場合は、ＳＴ５へ進む。
ＳＴ５では、輸液ポンプ１０は、図２の「ダイヤル回動基準速度データ記憶部２２」の「通常回動速度モード（表示変更ダイヤル１１の回動を１パルスで１カウント（１画面））」のデータを取得し、当該モードで、輸液ポンプディスプレイ２０に、「流量表示情報」「予定量・予定時間表示情報」「積算量表示情報」の各項目情報の画面を順に表示するように制御する。
【００３１】
すなわち、表示変更ダイヤル１１の１パルス分の回動毎に画面を遷移（変更）させる。
なお、この各項目の画面データ等は、図２の「輸液ポンプディスプレイ表示用データ記憶部２３」に記憶されており、このデータを参照して、輸液ポンプディスプレイ２０に表示する。
具体的には、図３の「ダイヤル対応画面表示部（プログラム）３２」が実行する。
したがって、操作者が表示変更ダイヤル１１を回動する速度にほぼ同期して、「流量表示情報」等の各項目情報の画面が順次、輸液ポンプディスプレイ２０に表示されることになる。
【００３２】
一方、ＳＴ４で、「ダイヤル回動速度データ」が所定値以下（例えば、「５０ｍｓ（ミリ秒）間のダイヤル回動によるパルス数が２以下」）でない場合、ＳＴ６へ進む。
ＳＴ６では、輸液ポンプ１０は、図２の「ダイヤル回動基準速度データ記憶部２２」の「通常速度ではなく、項目の選択の速度データ」すなわち「低速回動モード」のデータを取得する。本実施の形態では、例えば、表示変更ダイヤル１１の回動を１０パルスで１カウント（１画面）が「低速回動モード」となっている。
【００３３】
したがって、ＳＴ６に該当する場合、操作者が表示変更ダイヤル１１を回動させると、輸液ポンプディスプレイ２０に、「１０パルスで１カウント（１画面）」の速度で、「流量表示情報」等の各項目情報の画面が順次、輸液ポンプディスプレイ２０に表示されることになる。
このように、本実施の形態では、操作者が必要以上に表示変更ダイヤル１１を速く回動させた場合で、それと同期して同様に速く「流量表示情報」等の各項目情報の画面が遷移すると画面の情報が視認し難くなる場合は、画面の遷移速度を調整して、操作者にとって視認し易い速度に自動的に調整することができる構成となっている。
【００３４】
次いで、ＳＴ７へ進む。ＳＴ７では、操作者が、ＳＴ５又はＳＴ６で、特定の「流量表示情報」等の項目情報を選択したか否かが判断される。
具体的には、操作者が、図１の表示変更ダイヤル１１やＯＫキー１２等を操作して、図１の「輸液ポンプディスプレイ２０」に「流量表示」等の画面を表示するように画面を選択する（選択済み画面）。
この画面の選択は、具体的には、図３の「表示種類判断処理部（プログラム）３３」が実行する。したがって、「表示種類判断処理部（プログラム）３３」が、選択画面遷移部の一例となっている。
【００３５】
ＳＴ７で、選択が完了した場合、例えば、上述の例で「輸液ポンプディスプレイ２０」に「流量表示」の画面を表示するように画面を選択したときは、ＳＴ８へ進む。
【００３６】
ＳＴ８では、当該選択済み画面が選択済み状態であることを示すため、例えば、その背景色を通常の「薄い水色」から「水色」へ変更する。
具体的には、図３の「輸液ポンプディスプレイ水色表示処理部（プログラム）３４」が実行する。
【００３７】
図７は、「輸液ポンプディスプレイ２０」の背景表示が「水色」に変わった状態を示す概略説明図である。図７で、右上から左下へ斜めのハッチングは水色の部分を示す。
このように「輸液ポンプディスプレイ２０」の画面の背景を「水色」にすることで、当該輸液ポンプ１０の医療従事者である操作者は、当該「輸液ポンプディスプレイ２０」を視認することで、現在の画面が「選択済み画面」の状態であることを直ちに且つ容易に把握することができる。
【００３８】
次いで、ＳＴ９へ進む。ＳＴ９では、ＳＴ７で「流量表示」の画面に選択された状態で、図７に示す流量の数値等を変更可能な状態に遷移させる信号が操作者等から入力されたか否かを判断する。
具体的には、図１の「ＯＫボタン１２」を操作者が押下したか否かが判断され、「ＯＫボタン１２」を押下したと判断したときは、当該画面を変更可能画面へと遷移させる。
具体的には、「変更可能画面変更判断処理部（プログラム）３５」が判断し、この「変更可能画面変更判断処理部（プログラム）３５」は、変更画面遷移部の一例となっている。
【００３９】
次いで、ＳＴ１０へ進む。ＳＴ１０では、「輸液ポンプディスプレイ２０」が「変更可能画面」へ遷移したことを示すため、例えば、その背景色を「水色」から「濃い水色」へ変更させる。
具体的には、図３の「輸液ポンプディスプレイ濃い水色表示処理部（プログラム）３６」が実行する。
【００４０】
図８は「輸液ポンプディスプレイ２０」の背景表示が「濃い水色」に変わった状態を示す概略説明図である。図８で、左上から右下へ斜めのハッチングは濃い水色の部分を示す。
このように「輸液ポンプディスプレイ２０」の画面の背景を「濃い水色」にすることで、当該輸液ポンプ１０の医療従事者である操作者は、当該「輸液ポンプディスプレイ２０」を視認することで、現在が「変更可能画面」の状態であることを直ちに且つ容易に把握することができる。
【００４１】
次いで、ＳＴ１１へ進む。ＳＴ１１では、「輸液ポンプディスプレイ２０」に表示された、図８に示すような「変更可能画面」が複数の変更可能部分を有している場合、例えば、図８の数値「３００．００」のように、数字が５個（１００の位までの３ケタと小数点以下２ケタの５個）ある場合は、その一番ケタ数の多い数字、例えば、１００の位の「３」の部分に標識である例えば下線を付し、当該数字「３」が変更可能であることを示す。
【００４２】
図９は「輸液ポンプディスプレイ２０」が「変更可能画面」に遷移し、変更可能部分に下線が付された状態を示す概略説明図である。
図９に示すように、「輸液ポンプディスプレイ２０」に表示された数値「３００．００」のうち、変更可能部分である１００の位の数字「３」に下線を付し、当該部分が変更可能であることを示している。なお、下線表示に代えてハイライト表示にしてもよい。
具体的には、図３の変更可能部分表示処理部（プログラム）３７」が実行する。
【００４３】
したがって、操作者は、「輸液ポンプディスプレイ２０」を視認するだけで、現在変更に係る数字を明確に特定することができ操作し易い輸液ポンプ１０となっている。
【００４４】
また、この状態で、操作者が図１の表示変更ダイヤル１１を操作することで、下線を付された部分の数字「３」を変更することができる構成となっている。また、その変更は、図１のＯＫキー１２を押下することで確定することになる。
【００４５】
次いで、ＳＴ１２へ進む。ＳＴ１２では、上述のＳＴ２と同様に、図１の輸液ポンプ１０の表示変更ダイヤル１１を医療従事者等の操作者が、図１の矢印Ｒ方向に回動させたか否かを判断する。
【００４６】
ＳＴ１２で、表示変更ダイヤル１１が、回動動作を開始したと判断した場合は、ＳＴ１３へ進む。ＳＴ１３では、上述のＳＴ３と同様に、図２の「ダイヤル回動速度検出装置１９」で、図１等の表示変更ダイヤル１１のダイヤル回動速度データを取得し、図２の「ダイヤル回動速度データ記憶部２１」に記憶する。
【００４７】
次いで、ＳＴ１４へ進む。ＳＴ１４では、上述のＳＴ４と同様に、図２の「ダイヤル回動速度データ記憶部２１」に記憶された「ダイヤル回動速度データ」が「通常速度」であるか否かを判断する。
具体的には、「ダイヤル回動速度データ」と図２の「ダイヤル回動基準速度データ記憶部２２」の「通常速度データ」とを比較して判断する。
上述のように、本実施の形態では、「通常速度データ」として、図２に示すように、「５０ｍｓ（ミリ秒）間のダイヤル回動によるパルス数が２以下」というデータが予め記憶されている。
したがって、ＳＴ１４では「ダイヤル回動速度データ」が「５０ｍｓ（ミリ秒）間のダイヤル回動によるパルス数が２以下」か否かが判断される。
【００４８】
ＳＴ１４で、「ダイヤル回動速度データ」が「５０ｍｓ（ミリ秒）間のダイヤル回動によるパルス数が２以下」である、すなわち「通常速度」であると判断された場合は、ＳＴ１５へ進む。
【００４９】
ＳＴ５では、輸液ポンプ１０は、図２の「ダイヤル回動基準速度データ記憶部２２」の「通常回動速度モード（表示変更ダイヤル１１の回動を１パルスで１カウント（１画面））」のデータを取得し、当該モードで、輸液ポンプディスプレイ２０に「数字」を順に表示するように制御する。
なお、この各項目の画面データ等は、図２の「輸液ポンプディスプレイ表示用データ記憶部２３」に記憶されており、このデータを参照して、輸液ポンプディスプレイ２０に表示する。
具体的には、図３の「ダイヤル対応画面表示部（プログラム）３２」が実行する。
したがって、操作者が表示変更ダイヤル１１を回動する速度にほぼ同期して、下線を付された部分の数字「３」を変更することができる構成となっている。
【００５０】
一方、ＳＴ１４で、「ダイヤル回動速度データ」が「５０ｍｓ（ミリ秒）間のダイヤル回動によるパルス数が２以下」でない場合、ＳＴ１６へ進む。
ＳＴ１６では、輸液ポンプ１０は、図２の「ダイヤル回動基準速度データ記憶部２２」の「通常速度ではなく、数字入力の速度データ」すなわち「高速回動モード」のデータを取得する。
本実施の形態では、例えば、表示変更ダイヤル１１の回動を１パルスで１０カウント（１０画面）が「高速回動モード」となっている。
したがって、ＳＴ１６に該当する場合、操作者が表示変更ダイヤル１１を回動させると、輸液ポンプディスプレイ２０に、「１パルスで１０カウント（１画面）」の速度で、「数字」画面が順次、輸液ポンプディスプレイ２０に表示されることになる。
【００５１】
このように、本実施の形態では、操作者が必要以上に表示変更ダイヤル１１を速く回動させた場合で、当該画面が「数字」変更の場合、より迅速に「数字」を設定することができるように、より速く「数字」画面を遷移させ、操作者が操作し易いように調整する構成となっている。
【００５２】
ＳＴ１７では、当該変更部分、上述の例では、数字「３」の変更が終了したか否かが判断される。具体的には、図２の「ＯＫキー１２」の押下があったか否かが判断される。
この判断は、図３の「変更可能部分確定判断処理部（プログラム）３８」が行う。
【００５３】
ＳＴ１７で、当該変更可能部分の変更が終了したと判断されたときは、ＳＴ１８へ進む。ＳＴ１８では、「輸液ポンプディスプレイ２０」に表示されている変更可能部分、上述の例では「３００．００」の全ての数字の変更か終了したか否かを輸液ポンプ１０が判断する。
具体的には、図３の「全変更可能部分確定判断処理部（プログラム）３９」が判断する。
【００５４】
ＳＴ１８で、全ての変更可能部分の変更が終了していないと判断された場合は、ＳＴ１９へ進み、次の変更部分、上述の例では、図９の１００の位の数字「３」の右隣の数字の「０」に下線が付され、当該数字が変更可能となる。
この動作も、図３の「変更可能部分確定判断処理部（プログラム）３８」が行う。
【００５５】
次いで、ＳＴ２０では、上述のＳＴ１８と同様の工程を経る。このように本実施の形態では、全ての変更可能部分、例えば、数値「３００．００」の各数字について変更が終了（「ＯＫキー１２」の押下）、又は所定時間の経過があった場合に、全ての変更可能部分の変更等が終了したものと判断し、「変更可能画面」を終了させる。
【００５６】
このように、本実施の形態では、通常の各設定情報の表示画面の背景色は「薄い水色」とし、その後、画面が選択され、選択済み画面となると、背景色が「薄い水色」から「水色」へ変更される（ＳＴ８）。さらに、変更可能画面へ変更されると「水色」が「濃い水色」となる（ＳＴ１０）。
したがって、本実施の形態では、設定画面の編集が具体的になればなるほど、その背景色が濃くなるので、医療従事者等の操作者は、その操作により集中することができ、操作ミスを未然に防ぐことができる。
【００５７】
ＳＴ１８で、全ての変更可能部分の変更が終了したと判断され、「変更可能画面」が終了すると、ＳＴ２１へ進む。
ＳＴ２１では、「輸液ポンプディスプレイ２０」の背景色が「濃い水色」から通常の状態の背景色である「薄い水色」に戻る。
したがって、操作者が、当該輸液ポンプ１０の設定の変更等が終了したことを明確に把握することができる。
具体的には、図３の「輸液ポンプディスプレイ薄い水色表示処理部（プログラム）４０」が動作する。
【００５８】
このように、本実施の形態では、操作者の表示変更ダイヤル１１の操作速度及び「輸液ポンプディスプレイ２０」に表示されている画面情報に基づき、最も適切な速度で画面が遷移（変更）するように構成されているので、操作者にとって最も操作し易く画面が遷移する輸液ポンプ１０となる。
輸液ポンプディスプレイ２０の背景色として、非選択状態の背景色を「薄い水色」、選択状態の背景色を「水色」、変更状態の背景色を「濃い水色」として、同一色による濃淡により３色にする例を説明したが、異なる３色で輸液ポンプディスプレイ２０の背景色の表示を変えるようにしてもよい。
また、輸液ポンプディスプレイ２０の背景色を、選択及び変更状態の背景色である「濃い水色」と、非選択状態の背景色である「水色」として、同一色で濃淡により２色にしてもよいし、異なる色による２色にしてもよい。
【００５９】
すなわち、輸液ポンプディスプレイ２０に表示される情報の種類が、例えば、桁数の多い数値変更画面の場合は、その変更に表示変更ダイヤル１１の操作を時間的に長く行う必要がある一方、輸液ポンプ１０の設定情報の項目選択画面（流量設定等）の場合は、その項目の切り替えに表示変更ダイヤル１１の操作を時間的に長く行う必要がない。
そこで、かかる場合は、数値変更画面の場合は、項目選択画面の場合に比べ、表示変更ダイヤル１１による表示情報の変更速度を速く設定し、その数値変更等を迅速に実行できる構成としている。
一方、項目選択画面では、表示変更ダイヤル１１による表示情報の変更速度を通常通りとして、操作者にとって変更速度が速すぎず、操作し易い構成となっている。
したがって、本発明では、操作者が輸液ポンプ１０の設定を行い易い構成となっている。
【００６０】
また、本実施の形態では、「液量表示」「予定量・予定時間表示」「積算量表示」などの極めて設定が重要で、間違いが大きな問題となるような設定情報については、その設定の変更に際し、その設定変更の編集工程の相違によって、換言すれば、通常の各設定情報の表示画面、選択済み画面、変更可能画面によって、徐々に背景色を濃くし、その注意を喚起する構成となっている。このため、医療従事者等の操作者が誤操作をし難い輸液ポンプ１０となっている。
【００６１】
ところで、本発明は、上述の実施の形態に限定されない。本実施の形態では、医療機器として輸液ポンプ１０を例に説明したが、本発明は、これに限らず、シリンジポンプ等の他の送液装置、人工心肺装置、血管内超音波診断装置等の医療機器でも好適に適用することができる。
【符号の説明】
【００６２】
１０・・・輸液ポンプ、１１・・・表示変更ダイヤル、１２・・・ＯＫボタン、１３・・・その他の入力装置、１４・・・輸液ポンプ制御部、１５・・・輸液ポンプ本体部、１７・・・計時装置、１８・・・電源スイッチ、１９・・・ダイヤル回動速度検出装置、２０・・・輸液ポンプディスプレイ、２１・・・ダイヤル回動速度データ記憶部、２２・・・ダイヤル回動基準速度データ記憶部、２３・・・輸液ポンプディスプレイ表示用データ記憶部、３０・・・「各種処理部（プログラム）格納部、３１・・・ダイヤル回動速度判断処理部（プログラム）、３２・・・ダイヤル対応画面表示部（プログラム）、３３・・・表示種類判断処理部（プログラム）、３４・・・輸液ポンプディスプレイ水色表示処理部（プログラム）、３５・・・変更可能画面変更判断処理部（プログラム）、３６・・・輸液ポンプディスプレイ濃い水色表示処理部（プログラム）、３７・・・変更可能部分表示処理部（プログラム）、３８・・・変更可能部分確定判断処理部（プログラム）、３９・・・全変更可能部分確定判断処理部（プログラム）、４０・・・輸液ポンプディスプレイ薄い水色表示処理部（プログラム）
【図１】
2013153946.tif 000003
【図２】
2013153946.tif 000004
【図３】
2013153946.tif 000005
【図４】
2013153946.tif 000006
【図５】
2013153946.tif 000007
【図６】
2013153946.tif 000008
【図７】
2013153946.tif 000009
【図８】
2013153946.tif 000010
【図９】
2013153946.tif 000011